(57)【要約】【課題】コンサベータ及びコンサベータ関連の部品点数を多くせず、また切換開閉器収容室のシール部のシール機能の低下を早めることのない負荷時タップ切換変圧器を提供する。【解決手段】変圧器本体３と負荷時タップ切換器９とを備え、変圧器本体３とともに負荷時タップ切換器９が収容されて絶縁油２が充填された変圧器タンク１と、変圧器タンク１内に充填された絶縁油２と隔絶した絶縁油２が充填された負荷時タップ切換器９の切換開閉器収容室１１とを備え、切換開閉器収容室１１内に収容された切換開閉器２２は、切換開閉器収容室１１内の絶縁油２と隔絶した真空バルブを備えて、変圧器タンク１と切換開閉器収容室１１とが、それぞれに設けられた連結管５，１５を通して共通のコンサベータ１９に接続されるようにした。【選択図】　　　　図１
2004079920.tif 000002
【特許請求の範囲】
【請求項１】
変圧器本体と負荷時タップ切換器とを備え、前記変圧器本体とともに前記負荷時タップ切換器が収容されて絶縁油が充填された変圧器タンクと、前記変圧器タンク内に充填された絶縁油と隔絶した絶縁油が充填された前記負荷時タップ切換器の切換開閉器収容室とを備えた負荷時タップ切換変圧器において、
前記切換開閉器収容室内に収容された切換開閉器は、前記切換開閉器収容室内の絶縁油と隔絶した真空バルブを備えて、前記変圧器タンクと前記切換開閉器収容室とが、それぞれに設けられた連結管を通して共通のコンサベータに接続されることを特徴とする負荷時タップ切換変圧器。
【発明の詳細な説明】
【０００１】
【発明の属する技術分野】
本発明は、負荷時タップ切換器及びコンサベータを備えた負荷時タップ切換変圧器に関するものである。
【０００２】
【従来の技術】
負荷時タップ切換変圧器は、変圧器に負荷が接続された状態で、変圧器のタップを切り換える負荷時タップ切換器を備えた変圧器である。
【０００３】
負荷時タップ切換変圧器では、変圧器本体及び負荷時タップ切換器の切換開閉器からの発熱や周囲温度の変化に伴って生じる変圧器タンク内及び切換開閉器収容室内の絶縁油の膨張収縮を吸収するために、変圧器タンク及び切換開閉器収容室にコンサベータがそれぞれ設けられている。
【０００４】
負荷時タップ切換器は、変圧器の巻線のタップを選択するタップ選択器と、巻線のタップ切換時に負荷電流を開閉する油中スイッチ式の切換開閉器とを備えたものである。この切換開閉器は、変圧器タンク内に充填された絶縁油と隔絶した絶縁油が充填された切換開閉器収容室内に収容されて、変圧器本体とともに変圧器タンク内に収容されている。また、負荷時タップ切換器は、変圧器タンクの外部に設けられた図示しない電動操作機構によって、伝達機構を介して駆動される。
【０００５】
図２は、従来のこの種の負荷時タップ切換変圧器を示したものである。図２において、１は変圧器タンクであり変圧器タンク１内には絶縁油２が充填されて、巻線にタップを備えた変圧器本体３と、切換開閉器１２が収容された切換開閉器収容室１１を備えた負荷時タップ切換器９とが収容されている。また、変圧器タンク１の上方には、変圧器タンク１用の第１のコンサベータ６と、切換開閉器収容室１１用の第２のコンサベータ１６とが配置され、図示しない支持台によって変圧器タンク１の上部に支持されている。
【０００６】
上記の負荷時タップ切換変圧器では、変圧器タンク１内の絶縁油２と切換開閉器収容室１１内の絶縁油２ａとを隔絶することによって、巻線のタップ切換時に切換開閉器１２に生じるアークによって絶縁油２ａから生じる分解ガスが、変圧器タンク１内の絶縁油２を汚損するのを防止している。
【０００７】
負荷時タップ切換器９は、変圧器タンク１の天井部に設けられた開口部を通して変圧器タンク１内に挿入され、変圧器タンク１の天井部の開口部が液密に閉じられている。
【０００８】
第１のコンサベータ６は、連結管５を通して変圧器タンク１の上部に接続され、変圧器タンク１内に充填された絶縁油２と同じ絶縁油が、第１のコンサベータ６の所定の油面レベル位置（Ｌ１）まで収容されている。また、連結管５の途中には保護継電器４が設けられている。
【０００９】
第１のコンサベータ６の上部には、逆Ｊ字形に形成された呼吸管７の一端が接続されており、呼吸管７の他端（下端）には吸湿呼吸器８が接続されている。
【００１０】
第２のコンサベータ１６は、連結管１５を通して切換開閉器収容室１１の上部に接続され、切換開閉器収容室１１内に充填された絶縁油２ａと同じ絶縁油が、第２のコンサベータ１６の所定の油面レベル位置（Ｌ２）まで収容されている。また、連結管１５の途中には保護継電器１４が設けられている。
【００１１】
第２のコンサベータ１６の上部には、逆Ｊ字形に形成された呼吸管１７の一端が接続されており、呼吸管１７の他端には吸湿呼吸器１８が接続されている。
【００１２】
上記の負荷時タップ切換変圧器では、変圧器タンク１内の絶縁油２及び切換開閉器収容室１１内の絶縁油２ａの膨張収縮に伴って、第１のコンサベータ６内及び第２のコンサベータ１６内の絶縁油の油面レベルが変化し、これらの油面レベルの変化に伴って、吸湿呼吸器８，１８を通して呼吸が行われる。吸湿呼吸器８，１８は、吸湿剤を通して空気を流通させるもので、大気中の水分が第１のコンサベータ６内及び第２のコンサベータ１６内に侵入するのを防止するために設けられている。
【００１３】
図２に示した負荷時タップ切換変圧器においては、変圧器タンク１内と切換開閉器収容室１１内との圧力を同一にするために、第１のコンサベータ６の油面レベル位置（Ｌ１）と第２のコンサベータ１６の油面レベル位置（Ｌ２）とが同じ高さになるように、双方のコンサベータの図示しない支持台の高さが決められている。
【００１４】
【発明が解決しようとする課題】
図２に示した従来の負荷時タップ切換変圧器では、コンサベータ６，１６を設けているために、コンサベータ及びコンサベータ関連の部品点数が多くなり、材料費がアップし、また当該部品を組み込まなければならないため組立工数が多くなるという問題があった。更に、第１のコンサベータ６の油面レベル位置（Ｌ１）及び第２のコンサベータ１６の油面レベル位置（Ｌ２）は、それぞれの油温によって決まるのでそれぞれの油面レベル位置を常時合わせることはできず、変圧器タンク１内と切換開閉器収容室１１内とには圧力差が生じて差圧が発生し、切換開閉器収容室１１のシール部にこの差圧による負担がかかりシール機能の低下を早めるという問題もあった。
【００１５】
本発明の目的は、コンサベータ及びコンサベータ関連の部品点数を多くせず、また切換開閉器収容室のシール部のシール機能の低下を早めることのない負荷時タップ切換変圧器を提供することにある。
【００１６】
【課題を解決するための手段】
請求項１に記載の発明は、変圧器本体と負荷時タップ切換器とを備え、変圧器本体とともに負荷時タップ切換器が収容されて絶縁油が充填された変圧器タンクと、変圧器タンク内に充填された絶縁油と隔絶した絶縁油が充填された負荷時タップ切換器の切換開閉器収容室とを備え、切換開閉器収容室内に収容された切換開閉器は、切換開閉器収容室内の絶縁油と隔絶した真空バルブを備えて、変圧器タンクと切換開閉器収容室とが、それぞれに設けられた連結管を通して共通のコンサベータに接続されるようにしたものである。
請求項１の発明においては、コンサベータ及びコンサベータ関連の部品点数の削減ができ、また材料費、組立工数の低減もできる。更に、変圧器タンク内と切換開閉器収容室内との圧力差が無くなって差圧が無くなり、この差圧による切換開閉器収容室のシール部の負担が無くなりシール機能の低下を早めることもなくなる。
【００１７】
【発明の実施の形態】
図１は、本発明に係る負荷時タップ切換変圧器の一実施形態を示したもので、同図において、図２に示した従来の負荷時タップ切換変圧器の各部と同等の部分にはそれぞれ図２と同一の符号を付してある。
【００１８】
図１において、１は変圧器タンクであり変圧器タンク１内には絶縁油２が充填されて、巻線にタップを備えた変圧器本体３と、巻線のタップ切換時に負荷電流を開閉する切換開閉器２２が収容された切換開閉器収容室１１を備えた負荷時タップ切換器９とが収容されている。また、変圧器タンク１の上方には、変圧器タンク１と切換開閉器収容室１１とが共用するコンサベータ１９が配置され、図示しない支持台によって変圧器タンク１の上部に支持されている。
【００１９】
負荷時タップ切換器９は、変圧器タンク１の天井部に設けられた開口部を通して変圧器タンク１内に挿入され、変圧器タンク１の天井部の開口部が液密に閉じられている。
【００２０】
切換開閉器２２には、切換開閉器収容室１１内の絶縁油２とは隔絶して構成される真空バルブが備えられている。
【００２１】
コンサベータ１９は、連結管５を通して変圧器タンク１の上部に接続され、更に連結管１５を通して切換開閉器収容室１１の上部にも接続され、変圧器タンク１内に充填された絶縁油２と同じ絶縁油が、コンサベータ１９の所定の油面レベル位置（Ｌ１）まで収容されている。また、連結管５，１５の途中には保護継電器４，１４が設けられ、更に、連結管１５の途中には仕切弁１３が設けられている。
【００２２】
コンサベータ１９の上部には、逆Ｊ字形に形成された呼吸管２０の一端が接続されており、呼吸管２０の他端（下端）には吸湿呼吸器２１が接続されている。
【００２３】
上記の負荷時タップ切換変圧器では、変圧器タンク１内の絶縁油２及び切換開閉器収容室１１内の絶縁油２の膨張収縮に伴ってコンサベータ１９内の絶縁油２の油面レベルが変化し、この油面レベルの変化に伴って、吸湿呼吸器２１を通して呼吸が行われる。吸湿呼吸器２１は、吸湿剤を通して空気を流通させるもので、大気中の水分がコンサベータ１９内に侵入するのを防止するために設けられている。また、切換開閉器２２の点検が必要なときは、運転時は開いている仕切弁１３を閉じて吊り出し点検作業を可能にしている。
【００２４】
上記の負荷時タップ切換変圧器では、切換開閉器２２に真空バルブを備えたことによって、従来の切換開閉器１２を用いた場合に、アークによって汚損された絶縁油２ａがコンサベータ１９を介して変圧器タンク１に流出することが防止できる。
【００２５】
また、コンサベータ１９を共用すると、コンサベータ及びコンサベータ関連の部品点数の削減ができ、また材料費、組立工数も低減できる。更に、変圧器タンク１内と切換開閉器収容室１１内との圧力差が無くなって差圧が無くなり、この差圧による切換開閉器収容室１１のシール部の負担が無くなりシール機能の低下を早めることがない。
【００２６】
【発明の効果】
以上のように請求項１に記載の発明によれば、変圧器本体と負荷時タップ切換器とを備え、変圧器本体とともに負荷時タップ切換器が収容されて絶縁油が充填された変圧器タンクと、変圧器タンク内に充填された絶縁油と隔絶した絶縁油が充填された負荷時タップ切換器の切換開閉器収容室とを備え、切換開閉器収容室内に収容された切換開閉器は、切換開閉器収容室内の絶縁油と隔絶した真空バルブを備えて、変圧器タンクと切換開閉器収容室とが、それぞれに設けられた連結管を通して共通のコンサベータに接続されるようにしたので、コンサベータ及びコンサベータ関連の部品点数の削減ができ、また材料費、組立工数の低減もできる。更に、変圧器タンク内と切換開閉器収容室内との圧力差が無くなって差圧が無くなり、この差圧による切換開閉器収容室のシール部の負担が無くなりシール機能の低下を早めることもなくなる。
【図面の簡単な説明】
【図１】本発明に係る負荷時タップ切換変圧器の一部を切断した状態を示す正面断面図である。
【図２】従来の負荷時タップ切換変圧器の一部を切断した状態を示す正面断面図である。
【符号の説明】
１　変圧器タンク
２，２ａ　絶縁油
３　変圧器本体
４，１４　保護継電器
５，１５　連結管
６　第１のコンサベータ
７，１７，２０　呼吸管
８，１８，２１　吸湿呼吸器
９　負荷時タップ切換器
１１　切換開閉器収容室
１２，２２　切換開閉器
１３　仕切弁
１６　第２のコンサベータ
１９　コンサベータ
Ｌ１，Ｌ２　油面レベル位置
【図１】
2004079920.tif 000003
【図２】
2004079920.tif 000004